(57)【要約】      （修正有）【課題】低ＳＡＲに限定した撮像プロトコルを用意することなく、ＳＡＲ値を低減したプロトコルを素早く選択できるＭＲＩ装置を提供する。【解決手段】複数の撮像シーケンスの組み合わせ、およびその順序をプロトコルとして記憶する記憶部と、被検体に応じてプロトコルを選択するプロトコル表示・選択部２０１と、被検体に対して許容する操作モードを入力する操作モード制限入力部２０３と、選択されたプロトコルに含まれる撮像シーケンスに基づき上限ＳＡＲ値を算出するＳＡＲ演算部２０５と、算出した上限ＳＡＲ値が選択した操作モードで許容されるＳＡＲ値の範囲を超えるか判定し、上限ＳＡＲ値が許容されるＳＡＲ値の範囲より超える場合に、プロトコルを構成する撮像パラメータを調整し、許容される範囲内にＳＡＲ値を低減した新たなプロトコルを生成するプロトコル変換部２０４とを備える。【選択図】図２
2015029676.tif 000002
【特許請求の範囲】
【請求項１】
被検体に対して複数の撮像シーケンスからなる検査を実行する磁気共鳴イメージング装置であって、
前記複数の撮像シーケンスの組み合わせ、およびその順序をプロトコルとして記憶する記憶部と、
前記被検体に応じて前記プロトコルを選択するプロトコル表示・選択部と、
前記被検体に対して許容する操作モードを入力する操作モード制限入力部と、
前記選択されたプロトコルに含まれる撮像シーケンスに基づき上限ＳＡＲ値を算出するＳＡＲ演算部と、
前記算出した上限ＳＡＲ値が前記選択した操作モードで許容されるＳＡＲ値の範囲を超えるか判定し、前記上限ＳＡＲ値が許容されるＳＡＲ値の範囲より超える場合に、前記プロトコルを構成する撮像パラメータを調整し、許容される範囲内にＳＡＲ値を低減した新たなプロトコルを生成するプロトコル変換部と、を備えた
ことを特徴とする磁気共鳴イメージング装置。
【請求項２】
前記上限ＳＡＲ値は、前記被検体に関する情報と前記操作モードとから算出される
ことを特徴とする請求項１に記載の磁気共鳴イメージング装置。
【請求項３】
前記撮像パラメータの調整は、前記記憶部に予め設定された撮像パラメータ変更の優先順に従ってなされる
ことを特徴とする請求項１に記載の磁気共鳴イメージング装置。
【請求項４】
前記操作モードは、ＳＡＲ値の許容範囲の異なる複数の操作モードの内のいずれかであって、
前記選択された操作モードがＳＡＲ値の許容範囲が低い操作モードの場合に、前記プロトコル変換部は前記新たなプロトコルを生成する
ことを特徴とする請求項１に記載の磁気共鳴イメージング装置。
【請求項５】
前記プロトコルは、前記被検体に対する診断部位に応じて選択される
ことを特徴とする請求項１に記載の磁気共鳴イメージング装置。
【請求項６】
被検体の検査を実行する磁気共鳴イメージング装置における複数の撮像シーケンスを含むプロトコルの設定方法であって、
前記複数の撮像シーケンスの組み合わせ、およびその順序をプロトコルとして記憶するステップと、
前記被検体に応じて前記プロトコルを選択するステップと、
前記被検体に対して許容する操作モードを入力するステップと、
前記選択されたプロトコルに含まれる撮像シーケンスに基づき上限ＳＡＲ値を算出するステップと、
前記算出した上限ＳＡＲ値が前記選択した操作モードで許容されるＳＡＲ値の範囲を超えるか判定するステップと、
前記上限ＳＡＲ値が許容されるＳＡＲ値の範囲より超える場合に、前記プロトコルを構成する撮像パラメータを調整し、許容される範囲内にＳＡＲ値を低減した新たなプロトコルを生成するステップと、を備えた
ことを特徴とするプロトコル設定方法。
【請求項７】
前記上限ＳＡＲ値は、前記被検体に関する情報と前記操作モードとから算出される
ことを特徴とする請求項６に記載のプロトコル設定方法。
【請求項８】
前記撮像パラメータの調整は、前記記憶部に予め設定された撮像パラメータ変更の優先順に従ってなされる
ことを特徴とする請求項６に記載のプロトコル設定方法。
【発明の詳細な説明】
【技術分野】
【０００１】
本発明は、磁気共鳴イメージング（以下、「ＭＲＩ」という）装置に関し、特にＳＡＲ(Specific Absorption Ratio：比吸収率)を低減したプロトコル設定方法およびそれを備えるＭＲＩ装置に関する。
【背景技術】
【０００２】
ＭＲＩ装置は、被検体、特に人体の組織を構成する原子核スピンが発生するＮＭＲ信号を計測し、その頭部、腹部、四肢等の形態や機能を２次元的に或いは３次元的に画像化する装置である。撮影においては、ＮＭＲ信号には、傾斜磁場によって異なる位相エンコードが付与されるとともに周波数エンコードされて、時系列データとして計測される。計測されたＮＭＲ信号は、２次元又は３次元フーリエ変換されることにより画像に再構成される。
【０００３】
通常、撮像に用いるパルスシーケンスは、１被検体に対して複数を用い、連続してＲＦパルスを照射する。このため、ＭＲＩ装置は、１被検体に１回で用いるパルスシーケンスの組み合わせおよび照射する順序を記憶しておくことができる。このようなパルスシーケンスの組をプロトコルと呼ぶ。
【０００４】
磁気共鳴撮像における再構成画像の画質、撮像の時間および比吸収率（ＳＡＲ）は、撮像に用いるパルスシーケンスにより大きく異なるが、同種のパルスシーケンスであっても、その撮像パラメータの設定値（例えば、視野、パルスの繰返し時間（ＴＲ）、エコー時間（ＴＥ）、反転回復時間（ＴＩ）、スライス厚、スライス数、撮像のマトリクス数、信号の加算回数など）の違いにより大きな差を生じる。
【０００５】
従って、操作者は被検体の負担を考え、医師が正確な診断を行える画像を得るために、被検体毎に体調・撮像の時間・疾患種類・診断部位・撮像の領域を考慮し、細かに撮像パラメータの値を設定する必要がある。
【０００６】
非特許文献１には、傾斜磁場を印加している間の時間平均のＳＡＲの値に応じて、装置の状態を３段階に分割し、ＳＡＲが低いものから通常操作モード、第一次水準管理操作モード、第二次水準管理操作モードと規定している。被検体への負担を抑えるため、一般的な被検体は通常操作モードまたは第一次水準管理操作モードにおいて撮像しなければならず、妊娠している被検体や体温調整が困難な被検体は通常操作モードだけで撮像しなければならない。
【０００７】
ところで、各撮像パラメータとＳＡＲの間には種々の相関関係がある。例えば、ＴＲを短くすると、パルスの繰り返し間隔が短くなり、時間平均のＳＡＲが増大する。操作者は、このような相関関係に基づく制約の下で、許容されている操作モードにおける最適な撮像パラメータ値を探し、設定しなければならない。
【０００８】
また、特許文献１には、複数のパルスシーケンスを組み合わせて行う被検体の撮像において、パルスシーケンスのＳＡＲ予測値に基づいて、パルスシーケンスの順序を入れ替える、または待ち時間を挿入することで、時間平均のＳＡＲを低減するＭＲＩ装置が開示されている。
【先行技術文献】
【特許文献】
【０００９】
【特許文献１】ＷＯ  ２０１１／１２２３４０  Ａ１
【非特許文献】
【００１０】
【非特許文献１】International Electrotechnical Commission著「IEC 60601-2-33 Ed.3: Medical electrical equipment-Part 2-33: Particular requirements for the basic safety and essential performance of magnetic resonance equipment for medical diagnosis」
【発明の概要】
【発明が解決しようとする課題】
【００１１】
妊娠している被検体や体温調整が困難な被検体を撮像する場合、操作者は通常操作モードのみで撮像する複数のパルスシーケンスを組み合わせたプロトコルを準備する必要がある。ＭＲＩ装置は、過去の撮像に用いたプロトコルを流用できるように記憶しておくことができるので、すでに同様の疾患種類・診断部位に対応するプロトコルが記憶されていれば、プロトコルの準備は容易である。しかし、通常操作モードのみで撮像する被検体を撮像する頻度は稀であり、流用できるプロトコルが記憶されている確率は低いと考えられる。
【００１２】
そのため、多くの被検体で用いられる通常操作モードおよび第一次水準管理操作モードで撮像するプロトコルの各パルスシーケンスの撮像パラメータを調整し、通常操作モードの範囲にＳＡＲを低減することが現実的である。
【００１３】
しかしながら、特許文献１の従来技術では、複数のパルスシーケンスを組み合わせることによるＳＡＲの増加に対応するだけであり、個々のパルスシーケンスは所望のＳＡＲに抑えられていることを前提としているため、すべてのパルスシーケンスに対してＳＡＲを低減するためのパラメータ調整が必要である。
【００１４】
そこで、本発明の目的は特別に通常操作モードに限定した撮像プロトコルを用意していなくても、通常操作モード内にＳＡＲ値を低減したプロトコルを素早く選択できるＭＲＩ装置を提供することである。
【課題を解決するための手段】
【００１５】
上記目的を達成するために、本発明による磁気共鳴イメージング装置は以下の通りである。
【００１６】
被検体に対して複数の撮像シーケンスからなる検査を実行する磁気共鳴イメージング装置であって、複数の撮像シーケンスの組み合わせ、およびその順序をプロトコルとして記憶する記憶部と、被検体に応じてプロトコルを選択するプロトコル表示・選択部と、被検体に対して許容する操作モードを入力する操作モード制限入力部と、選択されたプロトコルに含まれる撮像シーケンスに基づき上限ＳＡＲ値を算出するＳＡＲ演算部と、算出した上限ＳＡＲ値が選択した操作モードで許容されるＳＡＲ値の範囲を超えるか判定し、上限ＳＡＲ値が許容されるＳＡＲ値の範囲より超える場合に、プロトコルを構成する撮像パラメータを調整し、許容される範囲内にＳＡＲ値を低減した新たなプロトコルを生成するプロトコル変換部と、を備えたことを特徴とする。
【発明の効果】
【００１７】
本発明によれば、特別に通常操作モードに限定した撮像プロトコルを用意していなくても、通常操作モード内にＳＡＲ値を低減したプロトコルを素早く選択できるＭＲＩ装置を提供することができる。
【図面の簡単な説明】
【００１８】
【図１】本発明の全体構成の例を示す図である。
【図２】本発明の処理を行う機能ブロック図である。
【図３】本発明の全体の処理を示すフローチャートである。
【図４】本発明の全体の処理を示すフローチャートである。
【発明を実施するための形態】
【００１９】
以下、添付図面に従って本発明のＭＲＩ装置の好ましい実施形態について詳説する。なお、発明の実施形態を説明するための全図において、同一機能を有するものは同一符号を付け、その繰り返しの説明は省略する。
【００２０】
最初に、本発明に係るＭＲＩ装置の全体概要の例を図１に基づいて説明する。図１は、本発明に係るＭＲＩ装置の一実施例の全体構成を示すブロック図である。このＭＲＩ装置は、ＮＭＲ現象を利用して被検体の断層画像を得るもので、図１に示すように、ＭＲＩ装置は静磁場発生系２と、傾斜磁場発生系３と、送信系５と、受信系６と、信号処理系７と、シーケンサ４と、中央処理装置（ＣＰＵ）８とを備えて構成される。
【００２１】
静磁場発生系２は、垂直磁場方式であれば、被検体１の周りの空間にその体軸と直交する方向に、水平磁場方式であれば、体軸方向に均一な静磁場を発生させるもので、被検体１の周りに永久磁石方式、常電導方式あるいは超電導方式の静磁場発生源が配置されている。
【００２２】
傾斜磁場発生系３は、ＭＲＩ装置の座標系（静止座標系）であるＸ，Ｙ，Ｚの３軸方向に傾斜磁場を印加する傾斜磁場コイル９と、それぞれの傾斜磁場コイルを駆動する傾斜磁場電源１０とから成り、後述のシ−ケンサ４からの命令に従ってそれぞれのコイルの傾斜磁場電源１０を駆動することにより、Ｘ，Ｙ，Ｚの３軸方向に傾斜磁場Ｇｘ，Ｇｙ，Ｇｚを印加する。撮影時には、スライス面（撮影断面）に直交する方向にスライス方向傾斜磁場パルス（Ｇｓ）を印加して被検体１に対するスライス面を設定し、そのスライス面に直交して且つ互いに直交する残りの２つの方向に位相エンコード方向傾斜磁場パルス（Ｇｐ）と周波数エンコード方向傾斜磁場パルス（Ｇｆ）を印加して、エコー信号にそれぞれの方向の位置情報をエンコードする。
【００２３】
シーケンサ４は、高周波磁場パルス（以下、「ＲＦパルス」という）と傾斜磁場パルスをある所定のパルスシーケンスで繰り返し印加する制御手段で、ＣＰＵ８の制御で動作し、被検体１の断層画像のデータ収集に必要な種々の命令を送信系５、傾斜磁場発生系３、および受信系６に送る。
【００２４】
送信系５は、被検体１の生体組織を構成する原子の原子核スピンに核磁気共鳴を起こさせるために、被検体１にＲＦパルスを照射するもので、高周波発振器１１と変調器１２と高周波増幅器１３と送信側の高周波コイル（送信コイル）１４ａとから成る。高周波発振器１１から出力されたＲＦパルスをシーケンサ４からの指令によるタイミングで変調器１２により振幅変調し、この振幅変調されたＲＦパルスを高周波増幅器１３で増幅した後に被検体１に近接して配置された高周波コイル１４ａに供給することにより、ＲＦパルスが被検体１に照射される。
【００２５】
受信系６は、被検体１の生体組織を構成する原子核スピンの核磁気共鳴により放出されるエコー信号（ＮＭＲ信号）を検出するもので、受信側の高周波コイル（受信コイル）  １４ｂと信号増幅器１５と直交位相検波器１６と、Ａ／Ｄ変換器１７とから成る。送信側の高周波コイル１４ａから照射された電磁波によって誘起された被検体１の応答のＮＭＲ信号が被検体１に近接して配置された高周波コイル１４ｂで検出され、信号増幅器１５で増幅された後、シーケンサ４からの指令によるタイミングで直交位相検波器１６により直交する二系統の信号に分割され、それぞれがＡ／Ｄ変換器１７でディジタル量に変換されて、信号処理系７に送られる。
【００２６】
信号処理系７は、各種データ処理と処理結果の表示及び保存等を行うもので、光ディスク１９、磁気ディスク１８等の外部記憶装置と、ディスプレイ２０とを有する。受信系６からのデータがＣＰＵ８に入力されると、ＣＰＵ８が信号処理、画像再構成等の処理を実行し、その結果である被検体１の断層画像をディスプレイ２０に表示すると共に、外部記憶装置の磁気ディスク１８等に記録する。
【００２７】
操作部２５は、ＭＲＩ装置の各種制御情報や上記信号処理系７で行う処理の制御情報を入力するもので、トラックボール又はマウス２３、及び、キーボード２４から成る。この操作部２５はディスプレイ２０に近接して配置され、操作者がディスプレイ２０を見ながら操作部２５を通してインタラクティブにＭＲＩ装置の各種処理を制御する。
【００２８】
なお、図１において、送信側の高周波コイル１４ａと傾斜磁場コイル９は、被検体１が挿入される静磁場発生系２の静磁場空間内に、垂直磁場方式であれば被検体１に対向して、水平磁場方式であれば被検体１を取り囲むようにして設置されている。また、受信側の高周波コイル１４ｂは、被検体１に対向して、或いは取り囲むように設置されている。
【００２９】
現在ＭＲＩ装置の撮像対象核種は、臨床で普及しているものとしては、被検体の主たる構成物質である水素原子核（プロトン）である。プロトン密度の空間分布や、励起状態の緩和時間の空間分布に関する情報を画像化することで、人体頭部、腹部、四肢等の形態または、機能を２次元もしくは３次元的に撮像する。
【実施例】
【００３０】
次に、本発明のＭＲＩ装置及び低ＳＡＲ撮像のプロトコルを設定する方法についての実施例を説明する。  
操作者は、複数のパルスシーケンスを組み合わせて成るプロトコルを検査の前に準備しておく。用意するプロトコルは、一般的に広く臨床で使用される、「第一次水準管理操作モード」で撮像するパルスシーケンスで構成されたものである。
【００３１】
磁気ディスク１８に、プロトコルを予め記憶しておく。記憶する情報は、構成するパルスシーケンスを決定するための撮像パラメータ、パルスシーケンスの照射順序、プロトコルの名称、対象となる診断部位、撮像時間などである。プロトコルに含まれるパルスシーケンスは、実行順に１番目、２番目というようにして、番号が振られているものとする。
【００３２】
本実施例に係る演算の各機能を図２に示す演算処理部１０１の機能ブロック図に基づいて説明する。  
プロトコル表示・選択部２０１は、磁気ディスク１８に保持されているプロトコルをディスプレイ２０に一覧で表示する。表示されたプロトコルを操作者が特定できるようにするため、プロトコルの名称、撮像時間、含まれるパルスシーケンスのシーケンス名などを表示する。操作者は、キーボード２４やトラックボール又はマウス２３を用いて、表示されているプロトコルを選択できる。選択したプロトコルは検査に使用する。
【００３３】
どのプロトコルを表示するかは、プロトコル表示制御部２０２が操作者によって指定された条件（プロトコルの名称や対象となる診断部位）に基づいて判定する。操作モード制限入力部２０３は、操作者が検査の操作モードを通常操作モードに限定するかどうかを入力するためのものである。操作モード制限入力部２０３に、通常操作モードに制限するように入力された場合、プロトコル変換部２０４は、磁気ディスク１８に記憶されているプロトコルを読み出し、通常操作モードに制限したプロトコルを生成する。ＳＡＲ演算部２０５はプロトコルに含まれるパルスシーケンスからＳＡＲを予測し、そのプロトコルを実施する際の操作モードを決定する。パラメータ調整部２０６は、任意のパルスシーケンスを通常操作モードに限定しても撮像できるように、撮像パラメータを変更する。
【００３４】
次に、上記演算処理部１０１の各機能部が連携して行う、本実施例の処理フローを図３、図４に示すフローチャートに基づいて説明する。本フローチャートはプログラムとして予め磁気ディスク１８に記憶されており、必要に応じてＲＡＭ２２にロードされ、ＣＰＵ８により実行されることで実施される。
【００３５】
最初に、図３に基づいて全体の処理フローを説明する。  
ステップ３０１では、操作者は、キーボード２４やトラックボール又はマウス２３を用いて、被検体の名前、被検体の識別子、身長、体重、年齢、性別等の被検体情報を入力する。
【００３６】
ステップ３０２で、操作者は、プロトコルの抽出条件を入力する。
【００３７】
ステップ３０３で、操作者は、この被検体の撮像において、操作モードを通常操作モードに限定するかどうかを入力する。
【００３８】
ステップ３０４で、ＳＡＲ演算部２０５がステップ３０１にて入力された被検体情報とステップ３０３で入力された操作モード制限から、その被検体の撮像において許容される上限ＳＡＲ値を計算する。
【００３９】
ステップ３０５で、ステップ３０２において入力されたプロトコルの抽出条件に基づいて、プロトコル表示制御部２０２が磁気ディスク１８に記憶されているプロトコルの中から、該当するプロトコルを抽出する。
【００４０】
ステップ３０６で、抽出したプロトコルに含まれるすべてのパルスシーケンスを変更することで、操作モードを制限した状態で実施できるように、プロトコルを変換する。詳細は後述する。
【００４１】
ステップ３０７で、変換済みのプロトコルをプロトコル表示・選択部２０１に表示する。操作者は、プロトコル表示・選択部２０１の表示されているプロトコルの中から、最適なものを検討・選択することで、撮像を開始する。  
以上が、本実施例の全体処理フローの説明である。
【００４２】
次に、図４に基づいて、図３で示すステップ３０６の詳細処理フローを説明する。  
ステップ４０１で、操作モード制限入力部２０３に操作モードを制限するように入力されているかどうかを判定する。入力されていない場合（Ｎｏ）は処理を終了する。入力されている場合（Ｙｅｓ）はステップ４０２に移行する。
【００４３】
ステップ４０２で、プロトコルを構成するパルスシーケンスを順に処理するための識別子ｎを１で初期化する。その後、ステップ４０３に移行する。
【００４４】
ステップ４０３で、識別子ｎがパルスシーケンス数以下であるかどうか（ｎ番目のパルスシーケンスが存在するかどうか）を判定する。パルスシーケンス数以下でない場合（Ｎｏ）は処理を終了する。パルスシーケンス数以下である場合、ステップ４０４に移行する。
【００４５】
ステップ４０４で、ＳＡＲ演算部２０５が、被検体の情報を用いて、ｎ番目のパルスシーケンスのＳＡＲ予測値を計算する。
【００４６】
ステップ４０５で、ＳＡＲ演算部２０５が計算したＳＡＲ予測値に基づいて、そのパルスシーケンスを実施する際の操作モードを決定する。
【００４７】
ステップ４０６で、判定された操作モードが通常操作モードかどうかを判定する。通常操作モードでない場合（Ｎｏ）はステップ４０７に移行する。通常操作モードである場合（Ｙｅｓ）はステップ４０８に移行する。
【００４８】
ステップ４０７で、パラメータ調整部がｎ番目のパルスシーケンスが通常操作モードの範囲のＳＡＲに低減されるように、撮像パラメータを変更する。撮像パラメータの変更は、例えば、特開２００６−２８０８２０号公報において述べられている、１個のパルスシーケンスの撮像パラメータを調整する方法を使用する。当該公報によれば、撮像パラメータの調整は、どのパラメータを変更し、どのパラメータを固定するかによって複数の方法があり得る。そこで、変更するパラメータに応じて複数のパルスシーケンスに変換し、それらを別のプロトコルとしてプロトコル表示・選択部２０１に表示することで、適切なパルスシーケンスを操作者が判断するようにしても良い。
【００４９】
ステップ４０８で、次のパルスシーケンスを処理するため、識別子ｎに１を加算する。その後、ステップ４０３に移行する。
【００５０】
以上までが、ステップ３０６の詳細処理フローの説明であるが、以下にステップ４０７で実行されるパラメータの調整の過程を具体例で説明する。
なお、下記に示す具体的な数値は、その時の種々パラメータやＳＡＲの係数によって変化するので、一例として示すものである。
【００５１】
≪パラメータの調整例≫
例えば、プロトコルＡが保存されているとする。  
プロトコルＡのシーケンス数は３つで、下記のシーケンスで構成される。
シーケンス１：スキャノグラム
シーケンス２：Ｔ２強調画像
シーケンス３：Ｔ１強調画像
【００５２】
次に、図４の処理フローに当て嵌めてみると、以下のようになる。  
まず、ステップ３０６のプロトコル変換を開始する。  
＜ｎ＝１の時＞
ステップ４０２：ｎ＝１であるから、ステップ４０３の判定で「Yes」となり、ステップ４０４に至る。
【００５３】
ステップ４０４：上記シーケンス１を構成するスキャノグラムのＳＡＲ予測値を算出し、ステップ４０５に至る。
【００５４】
ステップ４０５：算出したＳＡＲ予測値に基づき操作モードを決定する。一般的にスキャノグラムのＳＡＲは低いので通常操作モード内となる。従って、判定は「Yes」となり、ステップ４０８へ至る。
【００５５】
ステップ４０８：ｎ＝ｎ＋１、すなわちｎ＝２となり、ステップ４０３に戻る。  
＜ｎ＝２の時＞
ステップ４０４：ｎ＝２であるから、２番目のシーケンスであるＴ２強調画像のＳＡＲ予測値を算出し、ステップ４０５へ至る。
【００５６】
ステップ４０５：算出したＳＡＲ予測値に基づき操作モードを決定する。全身ＳＡＲの６分平均が、例えば、３．０［Ｗ／ｋｇ］で、１０秒平均が５．０［Ｗ／ｋｇ］である場合、算出された操作モードは、第一次水準管理操作モードとなる。
【００５７】
ステップ４０６：従って、操作モードの判定は「Ｎｏ」となり、ステップ４０７へ至る。
【００５８】
ステップ４０７：全身ＳＡＲの６分平均３．０［Ｗ／ｋｇ］を２．０［Ｗ／ｋｇ］、１０秒平均５．０［Ｗ／ｋｇ］を４．０［Ｗ／ｋｇ］以下にするように、ＴＲを下げる。例えば、ＴＲを４５００から５２００に変更する。この様な調整で、ＳＡＲ値は通常操作モード内に設定される。
【００５９】
ステップ４０８：ｎ＝ｎ＋２、すなわちｎ＝３となり、ステップ４０３に戻る。  
＜ｎ＝３の時＞
ステップ４０４：ｎ＝３であるから、３番目のシーケンスであるＴ１強調画像のＳＡＲ予測値を算出し、ステップ４０５へ至る。
【００６０】
ステップ４０５：算出したＳＡＲ予測値に基づき操作モードを決定する。全身ＳＡＲの６分平均が３．０[Ｗ／ｋｇ]で、１０秒平均が５．０[Ｗ／ｋｇ]である場合、算出された操作モードは、第一次水準管理操作モードとなる。
【００６１】
ステップ４０６：従って、操作モードの判定は「Ｎｏ」となり、ステップ４０７へ至る。
【００６２】
ステップ４０７：全身ＳＡＲの６分平均３．０［Ｗ／ｋｇ］を２．０［Ｗ／ｋｇ］、１０秒平均５．０［Ｗ／ｋｇ］を４．０［Ｗ／ｋｇ］以下にするように、ＴＲを増加する。ただし、Ｔ１強調画像とするためのＴＲ上限７００を超えない範囲とし、それでもＳＡＲが超えているようであればＦＡを下げて調整する（例えば、ＴＲ６００から７００へＦＡ８から７へ）。
【００６３】
ステップ４０８：ｎ＝ｎ＋３、すなわちｎ＝４となり、ステップ４０３に戻る。  
＜ｎ＝４の時＞
ステップ４０３：ｎ（＝４）≦３を満たさないので、プロトコル変換終了となる。
【００６４】
なお、ＳＡＲを低減するために変更するパラメータで代表的なものに、TR、FA、Slice数、MultiAcqusition等がある。これらの数値を変更することによってＳＡＲ値が変わるがそれに伴って画質等への影響も生じる。
【００６５】
そこで、パラメータの調整にあたって、最初に調整するのはＴＲであるが、数値だけをみてパラメータ調整を行なうと、所望のコントラストが得られなくなる。
例えば、Ｔ２強調はＴＲを増加させてもＴ２強調画像を得られるが、Ｔ１強調はＴＲを増加しすぎるとＴ１コントラストがつかなくなる。そのため、プロトコル保存時にパラメータ変更の優先順を設定しておく。
【００６６】
または、ＷＯ２００８／１４６５５１号公報(特願２００９−５１６２２１)に開示されているような、画像の自動分類方法を用いて、撮影パラメータからＴ２強調なのかＴ１強調なのかを自動的に判断し、事前にＴ２強調の場合のパラメータ変更優先順とＴ１強調の場合のパラメータ変更優先順を設定しておいて、自動判断結果に応じてパラメータ変更優先順を決めることもできる。
【００６７】
以上、本発明の実施例を述べたが、本発明はこれらに限定されるものではない。
【符号の説明】
【００６８】
１：被検体、２：静磁場発生系、３：傾斜磁場発生系、４：シーケンサ、５：送信系、６：受信系、７：信号処理系、８：中央処理装置（ＣＰＵ）、９：傾斜磁場コイル、１０：傾斜磁場電源、１１：高周波発信器、１２：変調器、１３：高周波増幅器、１４ａ：高周波コイル（送信コイル）、１４ｂ：高周波コイル（受信コイル）、１５：信号増幅器、１６：直交位相検波器、１７：Ａ／Ｄ変換器、１８：磁気ディスク、１９：光ディスク、２０：ディスプレイ、２１：ＲＯＭ、２２：ＲＡＭ、２３：トラックボール又はマウス、２４：キーボード。
【図１】
2015029676.tif 000003
【図２】
2015029676.tif 000004
【図３】
2015029676.tif 000005
【図４】
2015029676.tif 000006